(57)【要約】【課題】  スロットマシンと同様の遊技を遊技球を使って行う遊技機へのリールユニットの取付作業性がよい。【解決手段】  スロットマシンと同様の遊技を遊技球を使って行う遊技機は、複数のリールを回転自在な状態で支持するリールユニット４０と、このリールユニット４０から下方に向かって突出する下方突出片４２ｇと、パチンコ島に固定される遊技機枠のうち内枠に取り付けられた樹脂枠５０に形成された下方突出片挿入溝５２とを備えている。この遊技機は、リールユニット４０の下方突出片４２ｇを下方突出片挿入溝５２に挿入するとリールユニット４０は自立するため、作業者はリールユニット４０から手を離してリールユニット４０の取付作業を行うことが可能となり、作業性がよい。【選択図】        図７
2006055424.tif 000002
【特許請求の範囲】
【請求項１】
スロットマシンと同様の遊技を遊技球を使って行う遊技機であって、
複数のリールを回転自在な状態で支持するリールユニットと、
前記リールユニットから下方に向かって突出する下方突出片と、
前面扉が開閉自在に取り付けられパチンコ島に固定される遊技機枠と、
前記遊技機枠に設けられ前記下方突出片を挿入すると前記リールユニットが自立する下方突出片挿入溝と、
を備えた遊技機。
【請求項２】
請求項１に記載の遊技機であって、
前記下方突出片を前記下方突出片挿入溝に挿入したときに該下方突出片と接触する下方突出片接触部を備え、
前記リールユニットは重心が前記下方突出片挿入溝と前記下方突出片との接触位置よりも遊技機背面側に位置し、前記下方突出片を前記下方突出片挿入溝に挿入したときに前記リールユニットによって前記接触位置の周りに生じる回転モーメントを前記下方突出片接触部が前記下方突出片と接触することにより受け止めることが可能である、遊技機。
【請求項３】
前記下方突出片挿入溝は、遊技機前面側から遊技機背面側に向かって下り傾斜となるガイド面を持つ、請求項２に記載の遊技機。
【請求項４】
前記下方突出片が前記下方突出片挿入溝に挿入されている前記リールユニットの上部を持ち上げたとき、前記リールユニットによって前記上部の周りに生じる回転モーメントが前記下方突出片挿入溝から前記下方突出片が外れるのを補助する、請求項２又は３に記載の遊技機。
【請求項５】
請求項１〜４のいずれかに記載の遊技機であって、
前記リールユニットから上方に向かって突出する上方突出片と、
前記下方突出片を前記下方突出片挿入溝に挿入したときに前記上方突出片と接触する上方突出片接触部と、
を備えた遊技機。
【請求項６】
請求項１〜５のいずれかに記載の遊技機であって、
前記遊技機枠に前記リールユニットを固定する締結具、
を備え、
前記下方突出片挿入溝に前記下方突出片を挿入すると、前記リールユニットは少なくとも高さ位置が前記締結具により前記遊技機枠に固定可能な位置に決まる、遊技機。
【請求項７】
スロットマシンと同様の遊技を遊技球を使って行う遊技機であって、
複数のリールを回転自在な状態で支持するリールユニットと、
前記リールユニットから下方に向かって突出する下方突出片と、
前記リールユニットから上方に向かって突出する上方突出片と、
前面扉が開閉自在に取り付けられパチンコ島に固定される遊技機枠と、
前記遊技機枠に設けられ前記下方突出片と接触する下方突出片接触部と、
前記遊技機枠に設けられ前記リールユニットによって前記下方突出片と前記下方突出片接触部との接触位置の周りに生じる回転モーメントを前記上方突出片と接触することにより受け止める上方突出片接触部と、
を備えた遊技機。
【請求項８】
請求項７に記載の遊技機であって、
前記下方突出片を挿入可能な下方突出片挿入溝、
を備え、
前記下方突出片接触部は、前記下方突出片挿入溝に前記下方突出片が挿入されることにより該下方突出片と接触する、遊技機。
【請求項９】
前記下方突出片挿入溝は、前記下方突出片を挿入したときに前記リールユニットが自立するように形成されている、請求項８に記載の遊技機。
【請求項１０】
前記下方突出片挿入溝は、遊技機前面側から遊技機背面側に向かって下り傾斜となるガイド面を持つ、請求項８又は９に記載の遊技機。
【請求項１１】
前記下方突出片が前記下方突出片挿入溝に挿入されている前記リールユニットの上部を持ち上げたとき、前記リールユニットによって前記上部の周りに生じる回転モーメントが前記下方突出片挿入溝から前記下方突出片が外れるのを補助する、請求項８〜１０のいずれかに記載の遊技機。
【請求項１２】
請求項７〜１１のいずれかに記載の遊技機であって、
前記遊技機枠に前記リールユニットを固定する締結具、を備え、
前記下方突出片接触部に前記下方突出片を接触させると、前記リールユニットは少なくとも高さ位置が前記締結具により前記遊技機枠に固定可能な位置に決まる、遊技機。
【発明の詳細な説明】
【技術分野】
【０００１】
本発明は、遊技機に関し、詳しくは、スロットマシンと同様の遊技を遊技球を使って行う遊技機に関する。
【背景技術】
【０００２】
スロットマシンは、メダルを投入して遊技開始時にスタートレバーを操作すると、露出窓から露出しているリールユニットの左リール、中リール及び右リールが回転し始め、その後、適当なタイミングで左リール停止ボタン、中リール停止ボタン及び右リール停止ボタンを任意の順に押すことにより各リールを停止させる。そして、停止したときの各リールの図柄の並び方に応じて、遊技者にメダルが払い出されたり遊技者にとって有利な遊技状態に移行したりする。このスロットマシンでは、リールユニットは本体の内部の中段に架け渡された水平棚に載せた状態で固定されている（例えば、特許文献１参照）。このため、リールユニットを取り付ける場合には一旦リールユニットを水平棚に載せてネジ穴の位置を合わせたあとネジ止めを行うことになる。
【０００３】
一方、最近、スロットマシンと同様の遊技をメダルではなく遊技球を使って行う遊技機が開発されている（例えば、特許文献２参照）。この遊技機は、パチンコホールにおいてはパチンコ機と同じパチンコ島に配設されるため、パチンコ島に固定される機枠にリールユニットを搭載する必要がある。具体的には、機枠の奥行きがリールユニットの奥行きに比べて短いため、機枠内の垂直面部分にリールユニットをネジで固定するのが一般的である。
【特許文献１】特開２００３−２１０６５１号公報
【特許文献２】特開２００３−２０５０７０号公報
【発明の開示】
【発明が解決しようとする課題】
【０００４】
ところで、スロットマシンの場合には、本体の内部の中段に架け渡された水平棚にリールユニットを載せてネジ止めすることができるため、リールユニットを作業者が支える必要がなく、取付作業性がよかった。しかしながら、スロットマシンと同様の遊技を遊技球を使って行う遊技機の場合には、機枠内の垂直面部分にリールユニットをネジで固定することになるため、リールユニットを作業者が支えながらネジ穴の位置を合わせてネジをねじ込む必要があり、取付作業性がよくなかった。
【０００５】
本発明は、このような課題に鑑みなされたものであり、スロットマシンと同様の遊技を遊技球を使って行う遊技機へのリールユニットの取付作業性がよい遊技機を提供することを目的とする。
【課題を解決するための手段】
【０００６】
本発明は、上述の目的の少なくとも一部を達成するために以下の手段を採った。
【０００７】
手段１．スロットマシンと同様の遊技を遊技球を使って行う遊技機であって、
複数のリールを回転自在な状態で支持するリールユニットと、
前記リールユニットから下方に向かって突出する下方突出片と、
前面扉が開閉自在に取り付けられパチンコ島に固定される遊技機枠と、
前記遊技機枠に設けられ前記下方突出片を挿入すると前記リールユニットが自立する下方突出片挿入溝と、
を備えた遊技機。
【０００８】
この遊技機では、リールユニットの下方突出片を下方突出片挿入溝に挿入するとリールユニットは自立するため、作業者はリールユニットから手を離してリールユニットの取付作業を行うことが可能となり、作業性がよい。
【０００９】
手段２．手段１に記載の遊技機であって、前記下方突出片を前記下方突出片挿入溝に挿入したときに該下方突出片と接触する下方突出片接触部を備え、前記リールユニットは重心が前記下方突出片挿入溝と前記下方突出片との接触位置よりも遊技機背面側に位置し、前記下方突出片を前記下方突出片挿入溝に挿入したときに前記リールユニットによって前記接触位置の周りに生じる回転モーメントを前記下方突出片接触部が前記下方突出片と接触することにより受け止めることが可能である、遊技機。こうすれば、下方突出片挿入溝に下方突出片が挿入されることにより自立したリールユニットは、下方突出片接触部によっても支持可能なため安定性がよい。
【００１０】
手段３．前記下方突出片挿入溝は、遊技機前面側から遊技機背面側に向かって下り傾斜となるガイド面を持つ、手段２に記載の遊技機。こうすれば、前面扉を開いた状態でリールユニットの取り付けや取り外しを行う場合に、下方突出片を下方突出片挿入溝に挿入したり下方突出片挿入溝から引き抜いたりしやすい。
【００１１】
手段４．前記下方突出片が前記下方突出片挿入溝に挿入されている前記リールユニットの上部を持ち上げたとき、前記リールユニットによって前記上部の周りに生じる回転モーメントが前記下方突出片挿入溝から前記下方突出片が外れるのを補助する、手段２又は３に記載の遊技機。こうすれば、リールユニットを取り外しやすい。
【００１２】
手段５．手段１〜４のいずれかに記載の遊技機であって、前記リールユニットから上方に向かって突出する上方突出片と、前記下方突出片を前記下方突出片挿入溝に挿入したときに前記上方突出片と接触する上方突出片接触部と、を備えた遊技機。こうすれば、下方突出片挿入溝に下方突出片が挿入されることにより自立したリールユニットは、上方突出片を介して上方突出片接触部によっても支持されるため安定性がよい。
【００１３】
手段６．手段１〜５のいずれかに記載の遊技機であって、前記遊技機枠に前記リールユニットを固定する締結具、を備え、前記下方突出片挿入溝に前記下方突出片を挿入すると、前記リールユニットは少なくとも高さ位置が前記締結具により前記遊技機枠に固定可能な位置に決まる、遊技機。この場合、リールユニットを自立させるとリールユニットの高さ位置が締結具により固定可能な位置にセットされるため、取付作業を行ううえで便利である。
【００１４】
手段７．スロットマシンと同様の遊技を遊技球を使って行う遊技機であって、
複数のリールを回転自在な状態で支持するリールユニットと、
前記リールユニットから下方に向かって突出する下方突出片と、
前記リールユニットから上方に向かって突出する上方突出片と、
前面扉が開閉自在に取り付けられパチンコ島に固定される遊技機枠と、
前記遊技機枠に設けられ前記下方突出片と接触する下方突出片接触部と、
前記遊技機枠に設けられ前記リールユニットによって前記下方突出片と前記下方突出片接触部との接触位置の周りに生じる回転モーメントを前記上方突出片と接触することにより受け止める上方突出片接触部と、
を備えた遊技機。
【００１５】
この遊技機では、リールユニットの下方突出片を下方突出片接触部と接触させると共にリールユニットの上方突出片を上方突出片接触部と接触させたとき、リールユニットによって下方突出片と下方突出片接触部との接触位置の周りに生じる回転モーメントは上方突出片と上方突出片接触部とが接触することにより受け止められるので、この状態でリールユニットは自立する。このため、作業者はリールユニットから手を離してリールユニットの取付作業を行うことが可能となり、作業性がよい。ここで、前記リールユニットは重心が前記下方突出片接触部と前記下方突出片との接触位置よりも遊技機背面側に位置し、前記上方突出片接触部は前記上方突出片の遊技機背面側の面と接触するようにしてもよい。
【００１６】
手段８．手段７に記載の遊技機であって、前記下方突出片を挿入可能な下方突出片挿入溝、を備え、前記下方突出片接触部は、前記下方突出片挿入溝に前記下方突出片が挿入されることにより該下方突出片と接触する、遊技機。こうすれば、自立したリールユニットの安定性がよくなる。
【００１７】
手段９．前記下方突出片挿入溝は、前記下方突出片を挿入したときに前記リールユニットが自立するように形成されている、手段８に記載の遊技機。こうすれば、自立したリールユニットの安定性が一段とよくなる。
【００１８】
手段１０．前記下方突出片挿入溝は、遊技機前面側から遊技機背面側に向かって下り傾斜となるガイド面を持つ、手段８又は９に記載の遊技機。こうすれば、前面扉を開いた状態でリールユニットの取り付けや取り外しを行う場合に、下方突出片を下方突出片挿入溝に挿入したり下方突出片挿入溝から引き抜いたりしやすい。
【００１９】
手段１１．前記下方突出片が前記下方突出片挿入溝に挿入されている前記リールユニットの上部を持ち上げたとき、前記リールユニットによって前記上部の周りに生じる回転モーメントが前記下方突出片挿入溝から前記下方突出片が外れるのを補助する、手段８〜１０のいずれかに記載の遊技機。こうすれば、リールユニットを取り外しやすい。
【００２０】
手段１２．手段７〜１１のいずれかに記載の遊技機であって、前記遊技機枠に前記リールユニットを固定する締結具、を備え、前記下方突出片接触部に前記下方突出片を接触させると、前記リールユニットは少なくとも高さ位置が前記締結具により前記遊技機枠に固定可能な位置に決まる、遊技機。この場合、リールユニットを自立させるとリールユニットの高さ位置が締結具により固定可能な位置にセットされるため、締結作業を行ううえで便利である。
【００２１】
なお、本発明は、上述したように遊技機の発明として捉えることもできるが、遊技機にリールユニットを取り付けるための取付構造として捉えることもできる。
【発明を実施するための最良の形態】
【００２２】
次に、本発明を実施するための最良の実施形態を説明する。図１は本実施形態の遊技機２０の外観を表す斜視図、図２は遊技機２０の前面扉２２を開けた状態の斜視図、図３は遊技機２０の前面扉２２及び内枠２１ｂを開けた状態の斜視図、図４は図２のＡ−Ａ断面図である。
【００２３】
本実施形態の遊技機２０は、スロットマシンと同様の遊技を遊技球を使って行うものであり、各種の部材が設けられた前面扉２２と、この前面扉２２が開閉自在に取り付けられ複数のパチンコ機が並設されるパチンコ島（図示せず）に固定される遊技機枠２１とから構成されている。
【００２４】
前面扉２２は、図１に示すように、上部に設けられた演出ランプ２３ａ〜２３ｃと、略中央に配置され内側で回転・停止するリール２５Ｌ，２５Ｃ，２５Ｒを表示する表示窓２６と、表示窓２６の両側に配置されベット数に応じて有効ラインを示すベットランプ２７ａ，２７ｂと、表示窓２６の下方に配置され１ベットボタンや清算ボタンなどの各種ボタンを有すると共に賞球数やゲーム数などを表示する操作パネル２８と、操作パネル２８の下方に設けられ上受け皿２９ａ（図２〜図４参照）の前面を覆う上受け皿前カバー２９と、上受け皿前カバー２９の左部に設けられ最大ベット数（ここでは、３ベット）をベットするＭＡＸベットボタン３０と、上受け皿前カバー２９の前面に設けられ回転するリール２５Ｌ，２５Ｃ，２５Ｒの停止を指示するストップボタン３１Ｌ，３１Ｃ，３１Ｒと、上受け皿前カバー２９の左下に設けられ遊技を開始するときに操作されるスタートレバー３２とを備えている。各リール２５Ｌ，２５Ｃ，２５Ｒの周面には、円周方向に沿って複数の図柄が描かれている。そして、操作パネル２８の１ベットボタンやＭＡＸベットボタン３０が押されると、上受け皿２９ａに貯留されている遊技球がベット数に応じて所定数（実施例では、５個／１ベット）取り込まれ、この状態でスタートレバー３２が操作されると、リール２５Ｌ，２５Ｃ，２５Ｒが回転し、ストップボタン３１Ｌ，３１Ｃ，３１Ｒが押下されると、それに伴って各リール２５Ｌ，２５Ｃ，２５Ｒが停止する。そして、遊技機２０は、その停止図柄に応じて賞球を払い出したりビッグボーナスやレギュラーボーナスなどの特別遊技を開始したりする。
【００２５】
遊技機枠２１は、パチンコ島に固定される矩形の木製枠である外枠２１ａと、この外枠２１ａの枠内に嵌り込むように形成され外枠２１ａの左側板にヒンジを介して開閉自在に取り付けられた内枠２１ｂから構成されている。また、内枠２１ｂは、上方に設けられパチンコ島の樋（図示せず）から遊技球が補給される補給箱３５と、この補給箱３５のやや下方にて左右方向に架設された断面コ字状の金属バー３７と、中段よりやや下方に形成され遊技球を貯留する上受け皿２９ａと、この上受け皿２９ａのやや上方に固定され左右方向に延びる断面コ字状の金属板部材３９（図４参照）と、金属バー３７と金属板部材３９との間に配置されリール２５Ｌ，２５Ｃ，２５Ｒを回転自在な状態で支持するリールユニット４０と、上受け皿２９ａの下方に形成され上受け皿２９ａが満タンとなったときなどに遊技球が払い出される下受け皿３３などを備えている。なお、前面扉２２は、内枠２１ｂの左側に設けたヒンジによって開閉自在に取り付けられている。また、金属板部材３９は、図４に示すように、内枠２１ｂの内側に設けられた樹脂枠５０に取り付けられている。
【００２６】
ここで、リールユニット４０について、図５及び図６に基づいて詳しく説明する。図５は遊技機枠２１にリールユニット４０を取り付けるときの組立斜視図、図６はリールユニット４０の部分組立斜視図である。リールユニット４０は、リール２５Ｌ，２５Ｃ，２５Ｒと、各リール２５Ｌ，２５Ｃ，２５Ｒの前面側を露出した状態で取り囲むリールカバー４２と、各リール２５Ｌ，２５Ｃ，２５Ｒの内側に配置されこれらを回転・停止させるステッピングモータ４４Ｌ，４４Ｃ，４４Ｒとを備えている。このうち、リール２５Ｒは、側方に支持板４６Ｒが立設され、この支持板４６Ｒにリール２５Ｒの周辺機器が取り付けられている。具体的には、この支持板４６Ｒには、リール２５Ｒの中心と駆動軸４４Ｒａとが連結されこのリール２５Ｒを回転・停止させるステッピングモータ４４Ｒと、リール２５Ｒの所定位置に取り付けられたセンサカット板４８Ｒをリール２５Ｒが１回転するごとに検出する位置検出センサ４９Ｒとが取り付けられている。この位置検出センサ４９Ｒは、発光素子と受光素子とを備えたフォトセンサであり、両素子間にセンサカット板４８Ｒが通過したことを検出するものである。したがって、位置検出センサ４９Ｒがセンサカット板４８Ｒの通過を検出した時期とステッピングモータ４４Ｒのステップ数とによって、現在リール２５Ｒの円周方向に沿って描かれた複数の絵柄のうちどの絵柄が表示窓２６に表示されているかを特定することができる。なお、リール２５Ｌ，２５Ｃも同様の周辺機器を備えているが、ここではその説明を省略する。
【００２７】
リールカバー４２は、リール２５Ｌ，２５Ｃ，２５Ｒの上面、背面及び下面を周辺機器ともども覆い、且つ各リール２５Ｌ，２５Ｃ，２５Ｒの前面を露出するように形成されている。具体的には、リールカバー４２は、各リール２５Ｌ，２５Ｃ，２５Ｒの上方を覆う水平面として形成された上面部４２ａと、各リール２５Ｌ，２５Ｃ，２５Ｒの背部を覆う垂直面として形成された背面部４２ｂと、各リール２５Ｌ，２５Ｃ，２５Ｒの下方を覆う水平面として形成された下面部４２ｃと、上面部４２ａの後端部から後方に向かって４０〜５０°の傾斜角で下り傾斜となり背面部４２ｂの上端部に至る第１斜面部４２ｄと、背面部４２ｂの下端部から前方へ向かって４０〜５０°の傾斜角で下り傾斜となり下面部４２ｃの後端部に至る第２斜面部４２ｅとを備えている。上面部４２ａの前端部の左右両側には、上方に突出する板状の上方突出片４２ｆが形成され、下面部４２ｃの前端部の左から右にわたっては、下方に突出する板状の下方突出片４２ｇが形成されている。各上方突出片４２ｆにはそれぞれ１つのネジ挿通穴４２ｈが設けられ、下方突出片４２ｇには左右両側にネジ挿通穴４２ｉ，４２ｉが設けられている。
【００２８】
リールユニット４０は、図５に示すように、内枠２１ｂに架設された金属バー３７に２つの上方突出片４２ｆ，４２ｆがネジ止めされ、内枠２１ｂに設けられた金属板部材３９に下方突出片４２ｇがネジ止めされる。即ち、金属バー３７の左右両側にはネジ溝を有するネジ穴３７ａ，３７ａが設けられ、各ネジ穴３７ａには各上方突出片４２ｆのネジ挿通穴４２ｈを介してネジがねじ込まれる。また、金属板部材３９にも左右両側にネジ溝を有するネジ穴３９ａ，３９ａが設けられ、このネジ穴３９ａ，３９ａには下方突出片４２ｇのネジ挿通穴４２ｉ，４２ｉを介してネジがねじ込まれる。
【００２９】
ここで、図４に示すように、金属板部材３９は、一部が樹脂枠５０の上面から飛び出した状態で樹脂枠５０の背面に固定されている。また、樹脂枠５０と金属板部材３９との間には下方突出片４２ｇを挿入可能な下方突出片挿入溝５２が形成され、下方突出片４２ｇはこの下方突出片挿入溝５２に挿入されている。この下方突出片挿入溝５２は、遊技機前面側から遊技機背面側に向かって下り傾斜となるガイド面５２ａを有しており、このガイド面５２ａから溝底に至るまでの区間には下方突出片４２ｇの厚みとほぼ同等の隙間を持つ嵌合部５２ｂを有している。このため、リールユニット４０の下方突出片４２ｇが下方突出片挿入溝５２の溝底に達するまで挿入されたときには、リールユニット４０は自立状態（つまり手を離しても倒れない状態）となる。このとき、上方突出片４２ｆのネジ挿通穴４２ｈと金属バー３７のネジ穴３７ａの高さ位置が一致し、且つ、下方突出片４２ｇのネジ挿通穴４２ｉ，４２ｉと金属板部材３９のネジ穴３９ａ，３９ａの高さ位置が一致するように設計されている。
【００３０】
次に、この遊技機２０にリールユニット４０を取り付ける作業について、図５及び図７に基づいて説明する。図７はリールユニット４０の取付手順を表す説明図である。まず、遊技機２０の前面扉２２を開けた状態（図５参照）で、作業者はリールユニット４０を掴んで金属バー３７と金属板部材３９との間に近づけたあと、リールユニット４０をやや前傾姿勢にする。続いて、下方突出片４２ｇを下方突出片挿入溝５２のガイド面５２ａに沿って挿入しつつ、徐々にリールユニット４０を下方突出片４２ｇを中心として回転させ直立させる（図７（ａ）参照）。そして、リールユニット４０が直立した状態で、下方突出片４２ｇを下方突出片挿入溝５２に完全に挿入する（図７（ｂ）参照）。つまり、下方突出片４２ｇの先端が溝底に達するまで挿入する。すると、リールカバー４２の下面部４２ｃが金属板部材３９のフランジ部３９ｃと当接する。このとき、リールユニット４０はステッピングモータ４４Ｌ，４４Ｃ，４４Ｒがリール２５Ｒ，２５Ｃ，２５Ｌの中心付近に配置されている関係上、その重心Ｇは下方突出片４２ｇと下方突出片挿入溝５２との接触位置Ｐよりも遊技機背面側にある。しかし、下方突出片４２ｇが下方突出片挿入溝５２の嵌合部５２ｂにしっかりとはめ込まれており、また、リールユニット４０の重心によって接触位置Ｐの周りに生じる回転モーメント（図７中時計回りのモーメント）を下方突出片４２ｇの背面と接触する金属板部材３９が受け止めるため、リールユニット４０は作業者が手を離したとしても安定した状態で自立する。また、この状態で、上方突出片４２ｆのネジ挿通穴４２ｈと金属バー３７のネジ穴３７ａの高さ位置が一致し、且つ、下方突出片４２ｇのネジ挿通穴４２ｉ，４２ｉと金属板部材３９のネジ穴３９ａ，３９ａの高さ位置が一致する。その後、作業者は上方突出片４２ｆのネジ挿通穴４２ｈと金属バー３７のネジ穴３７ａの左右位置や、下方突出片４２ｇのネジ挿通穴４２ｉ，４２ｉと金属板部材３９のネジ穴３９ａ，３９ａの左右位置が一致するようにリールユニット４０の位置を調整し、最後にネジで締結する。これにより、リールユニット４０は遊技機２０の内枠２１ｂにしっかりと固定される。
【００３１】
次に、この遊技機２０にリールユニット４０を取り外す作業について、図８に基づいて説明する。図８はリールユニット４０の取り外す様子を表す説明図である。まず、作業者はリールユニット４０を固定しているネジをすべて外す。続いて、作業者は、手のひらを上向きにしてリールカバー４２の上面部４２ａの裏面手前部分に親指以外の指を挿入してリールカバー４２の上面部４２ａを金属バー３７に向かって略鉛直に持ち上げる。すると、リールユニット４０は重心Ｇが上方突出片４２ｆと金属バー３７との接触部位Ｑよりも遊技機背面側にあるから、接触部位Ｑの周りに図８中時計回りの回転モーメントが働く。このため、リールユニット４０を略鉛直に持ち上げると、重心Ｇが接触部位Ｑの真下に来るようにリールユニット４０が回転する。このため、下方突出片４２ｇは下方突出片挿入溝５２から容易に外れる。その後、リールユニット４０を手前側に引き出す。
【００３２】
以上詳述した本実施形態の遊技機２０では、リールユニット４０の下方突出片４２ｇを下方突出片挿入溝５２に挿入するとリールユニット４０は自立するため、作業者はリールユニット４０から手を離してリールユニット４０の取付作業を行うことが可能となり、作業性がよい。
【００３３】
また、自立したリールユニット４０は、金属板部材３９によっても支持可能なため安定して自立状態を保つことができる。加えて、上方突出片４２ｆを介して金属バー３７によっても支持可能なため一層安定性がよい。
【００３４】
更に、下方突出片挿入溝５２のガイド面５２ａを利用すれば、下方突出片４２ｇを下方突出片挿入溝５２に挿入したり下方突出片挿入溝５２から引き抜いたりしやすい。
【００３５】
更にまた、リールユニット４０を取り外すとき、リールユニット４０の上面部４２ａの裏面手前部分を持ち上げると、その部分の周りに生じる回転モーメントが下方突出片挿入溝５２から下方突出片４２ｇが外れるのを補助するため、リールユニット４０を取り外しやすい。
【００３６】
そしてまた、リールユニット４０を自立させるとリールユニット４０の高さ位置がネジにより固定可能な位置にセットされるため、取付作業を行ううえで便利である。
【００３７】
なお、本発明の実施の形態は、上述した実施形態に何ら限定されるものではなく、本発明の技術的範囲に属する限り種々の形態を採り得ることはいうまでもない。
【００３８】
例えば、上述した実施形態の下方突出片挿入溝５２の代わりに、図９に示すように、樹脂枠５０に遊技機前面側から遊技機背面側に向かって下り傾斜となるガイド面を持つ下方突出片挿入溝１５２を形成し、リールユニット４０の下方突出片４２ｇの先端部分に下方突出片挿入溝１５２のガイド面と略一致する傾斜面４２ｊを形成してもよい。この場合、下方突出片４２ｇを下方突出片挿入溝１５２に挿入するにあたり、傾斜面４２ｊを下方突出片挿入溝１５２のガイド面に沿わせて挿入すれば（図９の一点鎖線参照）、簡単に挿入することができる。
【００３９】
また、上述した実施形態の金属バー３７の代わりに、図１０に示すように上方突出片４２ｆを下から上へ差し込むことのできる上方突出片挿入溝２３７ａを有するバー２３７を架設し、下方突出片挿入溝５２の代わりにガイド面のない下方突出片挿入溝２５２を形成してもよい。この場合、リールユニット４０を自立させるにあたり、まずフスマを取り付ける場合のようにリールユニット４０の上方突出片４２ｆを上方突出片挿入溝２３７ａに下から差し込み、その後、リールユニット４０を下げて下方突出片４２ｇを下方突出片挿入溝２５２に差し込めば（図１０の一点鎖線参照）、簡単にリールユニット４０を自立させることができる。なお、図１０の下方突出片挿入溝２５２の代わりに、上述した実施形態の下方突出片挿入溝５２を採用してもよい。
【００４０】
更に、上述した実施形態では、下方突出片４２ｇの先端が下方突出片挿入溝５２の溝底に達したときにリールカバー４２の下面部４２ｃが金属板部材３９のフランジ部と接触するように設計したが、図１１に示すように、下方突出片４２ｇの先端が下方突出片挿入溝５２の溝底に達したときにリールカバー４２の下面部４２ｃが金属板部材３９のフランジ部と接触しないように設計しても構わない。
【００４１】
更にまた、上述した実施形態では、樹脂枠５０に下方突出片挿入溝５２を設けたが、図１２に示すように、下方突出片挿入溝５２を設けなくてもよい。図１２では、リールユニット４０の下方突出片４２ｇと金属板部材３９との接触位置Ｐの周りに生じる回転モーメントを金属バー３７が上方突出片４２ｆと接触することにより受け止め、これにより、リールユニット４０を自立させている。この場合、リールユニット４０の下面部４２ｃが金属板部材３９のフランジ部３９ｃに載置したときに、上方突出片４２ｆ及び下方突出片４２ｇに設けた各ネジ挿通穴４２ｈ，４２ｉと金属バー３７及び金属板部材３９に設けた各ネジ穴３７ａ，３９ａとの高さ位置が一致する。このため、リールユニット４０の取付作業が容易になる。
【図面の簡単な説明】
【００４２】
【図１】本実施形態の遊技機２０の外観を表す斜視図である。
【図２】遊技機２０の前面扉２２を開けた状態の斜視図である。
【図３】遊技機２０の前面扉２２及び内枠２１ｂを開けた状態の斜視図である。
【図４】図２のＡ−Ａ断面図である。
【図５】遊技機枠２１にリールユニット４０を取り付けるときの組立斜視図である。
【図６】リールユニット４０の部分組立斜視図である。
【図７】リールユニット４０の取付手順を表す断面図である。
【図８】リールユニット４０の取り外す様子を表す断面図である。
【図９】別の実施形態におけるリールユニット４０の断面図である。
【図１０】別の実施形態におけるリールユニット４０の断面図である。
【図１１】別の実施形態におけるリールユニット４０の断面図である。
【図１２】別の実施形態におけるリールユニット４０の断面図である。
【符号の説明】
【００４３】
２０  遊技機，２１  遊技機枠、２１ａ  外枠、２１ｂ  内枠、２２  前面扉、２３ａ〜２３ｃ  演出ランプ、２５Ｌ，２５Ｃ，２５Ｒ  リール、２６  表示窓、２７ａ，２７ｂ  ベットランプ、２８  操作パネル、２９  上受け皿前カバー、２９ａ  上受け皿、３０  ＭＡＸベットボタン、３１Ｌ，３１Ｃ，３１Ｒ  ストップボタン、３２  スタートレバー、３３  下受け皿、３５  補給箱、３７  金属バー、３７ａ  ネジ穴、３９  金属板部材、３９ａ  ネジ穴、３９ｃ  フランジ部、４０  リールユニット、４２  リールカバー、４２ａ  上面部、４２ｂ  背面部、４２ｃ  下面部、４２ｄ，４２ｅ  斜面部、４２ｆ  上方突出片、４２ｇ  下方突出片、４２ｈ  ネジ挿通穴、４２ｉ   ネジ挿通穴、４２ｊ  傾斜面、４４Ｌ，４４Ｒ  ステッピングモータ、４４Ｒａ  駆動軸、４６Ｒ  支持板、４８Ｒ  センサカット板、４９Ｒ  位置検出センサ、５０  樹脂枠、５２  下方突出片挿入溝、５２ａ  ガイド面、５２ｂ 嵌合部、１５２  下方突出片挿入溝、２３７  バー、２３７ａ  上方突出片挿入溝、２５２  下方突出片挿入溝。
【図１】
2006055424.tif 000003
【図２】
2006055424.tif 000004
【図３】
2006055424.tif 000005
【図４】
2006055424.tif 000006
【図５】
2006055424.tif 000007
【図６】
2006055424.tif 000008
【図７】
2006055424.tif 000009
【図８】
2006055424.tif 000010
【図９】
2006055424.tif 000011
【図１０】
2006055424.tif 000012
【図１１】
2006055424.tif 000013
【図１２】
2006055424.tif 000014